(57)【要約】【目的】襟ホックに伸縮性を与える。【構成】それぞれ係合部を有する一対の雌雄部材（１０，２０；１０Ａ，２０Ａ）からなる。この雌雄部材のうち少なくとも一方は、スライド可能な係合部（１１；１１Ａ，２４）と、一端が芯材（３）に固定され、他端が係合部に接続されることにより、係合部にスライドさせる力を与える弾性体（１２；１２Ａ，２５）と、芯材（３）に固定された、係合部スライド用ガイド（１３；１３Ａ，２６）からなる。好ましくは、雌雄部材の双方が、スライド可能な係合部と、一端が芯材に固定され、他端が係合部に接続されることにより、係合部にスライドさせる力を与える弾性体と、芯材に固定された、係合部スライド用ガイドからなる。【選択図】  図３
2004298319.tif 000002
【特許請求の範囲】
【請求項１】
それぞれ係合部を有する一対の雌雄部材（１０，２０；１０Ａ，２０Ａ）からなり、この雌雄部材のうち少なくとも一方が、
スライド可能な係合部（１１；１１Ａ，２４）と、
一端が芯材（３）に固定され、他端が係合部に接続されることにより、係合部にスライドさせる力を与える弾性体（１２；１２Ａ，２５）と、
芯材（３）に固定された、係合部スライド用ガイド（１３；１３Ａ，２６）からなることを特徴とする詰め襟のホック。
【請求項２】
雌雄部材（１０Ａ，２０Ａ）の双方が、スライド可能な係合部（１１Ａ，２４）と、一端が芯材（３）に固定され、他端が係合部に接続されることにより、係合部にスライドさせる力を与える弾性体（１２Ａ，２５）と、芯材に固定された、係合部スライド用ガイド（１３Ａ，２６）からなる請求項１記載のホック。
【請求項３】
弾性体（１２；１２Ａ，２５）がゴム紐及びバネのいずれかである請求項１又は２記載のホック。
【請求項４】
係合部スライド用ガイド（１３；１３Ａ，２６）が、係合部と接触する接触板（１７）と、接触板の端部から伸びている複数の脚（１８，１８Ａ）からなる構造である請求項１ないし３のいずれかに記載のホック。
【請求項５】
前記脚（１８，１８Ａ）が座板（１９）を介して芯材（３）にかしめられている請求項４記載のホック。
【請求項６】
前記雌雄部材（１０，２０；１０Ａ，２０Ａ）が、襟首の曲線に沿ってカーブしている請求項１ないし５のいずれかに記載のホック。
【発明の詳細な説明】
【０００１】
【発明の属する技術分野】
本発明は、男子学生服等で使用する詰め襟のホックに関する。
【０００２】
【従来の技術】
学生服等の詰め襟の合わせ目には雌雄部材からなる左右一対のホックが取り付けられていて、それらを係合させたり外したりすることにより、合わせ目を閉じたり開いたりしている。従来の詰め襟ホックは雌雄部材が固定されていたので、首を上下又は左右に動かしたときに首を締め付けるような圧迫感があった。また、体の成長に伴い、首周りも大きくなると、ホックによる固定ができなくなることがよくあった。
【０００３】
この問題を解決するために、下記特許文献１では、雌雄部材の係合部と基部との間に「相対的に変位した係合部を基準保持位置へと戻す復帰手段」を設けることを提案している。
【０００４】
【特許文献１】特許第３２８１２９５号
【０００５】
【発明が解決しようとする課題】
特許文献１で使用している基部は、金属平板を巻き取るように折り返し、先端縁の係止爪を係止孔にかしめて箱体部を構成し、対面する２面に係合脚部用の軌道を設けてなる。このような基部の作成は手間がかかり、その結果、製造コストを上昇させていた。また、金属平板を折り返して箱体部を形成するのであるから、当然箱体部の厚みが厚くなり、首周りに違和感を与えることになる。
【０００６】
本発明は、特許文献１よりも構成が簡単でしかも薄い雌雄部材を採用することにより襟ホックに伸縮性を与えることを目的とする。
【０００７】
【課題を解決するための手段】
本発明の詰め襟のホックは、それぞれ係合部を有する一対の雌雄部材からなり、この雌雄部材のうち少なくとも一方が、スライド可能な係合部と、一端が芯材に固定され、他端が係合部に接続されることにより、係合部にスライドさせる力を与える弾性体と、芯材に固定された、係合部スライド用ガイドからなることを特徴とする。
【０００８】
【発明の実施の態様】
好ましくは、雌雄部材の双方がスライド可能な係合部と、一端が芯材に固定され、他端が係合部に接続されることにより、係合部にスライドさせる力を与える弾性体と、芯材に固定された、係合部スライド用ガイドからなる。
【０００９】
雄部材の係合部は、例えば先端にＵ字部を有する金属板であり、雌部材の係合部は前記雄係合部を受け止めるもので、例えばコの字状係合部である。
【００１０】
弾性体は、例えばゴム紐やバネなどである。
【００１１】
係合部スライド用ガイドは係合部の位置の安定化とスライド方向や位置を決定するためのもので、その目的にかなうものであればどのようなものでもよい。例えば、係合部と接触する接触板と、接触板の端部から伸びている複数の脚からなる構造を採用することができる。脚を芯材にかしめるとき、座板を設けるのが安定性を高める上で好ましい。
【００１２】
さらに好ましくは、雌雄部材を、襟首の曲線に沿ってカーブさせることである。これにより、雌雄部材が首に対して違和感を与えないようにすることができる。
【００１３】
【実施例】
以下、添付の図面に基づき、本発明の実施例を説明する。
【００１４】
＜実施例１＞
図１は、本発明の実施例１に係る襟ホック１を取り付けた状態の学生服２の正面図である。襟ホックの大部分は外側生地４に隠れて見えず、わずかに雌雄部材の先端が露出しているだけである。
【００１５】
図２は、外側生地を取り去った状態で雌雄部材を見た斜視図である。（ａ）は内側（着用者の首側）から見た状態、（ｂ）は外側（着用者以外の人の側）から見た状態である。
【００１６】
雌雄部材１０，２０は、外側生地（図１の４参照）内部に設けられた芯材３に取り付けられる。芯材は、形を整えるのに使用されるもので、例えば人工皮革や不織布から形成されている。
【００１７】
雄部材１０は、スライド可能な雄係合部１１と、雄係合部にスライドさせる力を与えるゴム紐１２と、雄係合部のスライド用ガイド１３からなる。
【００１８】
雄係合部１１は、先端にＵ字部１４を有する細長い金属板で、後端にゴム紐を取り付けるための取付穴１５が設けられている。先端のＵ字部１４の内部には小突起１６が形成されている。これは、雌部材２０がいったんはまった後抜けるのを防止するとともに、ゴム紐１２により所定位置よりもゴム紐側に引っ張られるのを防止するためである。
【００１９】
ゴム紐１２は雄係合部の取付穴１５を通って折り返され、適当な位置で芯材３に縫いつけられて固定されている。
【００２０】
ガイド１３は、雄係合部１１と接触する接触板１７と、接触板の端部から伸びている４本の脚１８からなる。４本の脚１８の先端は、図２（ｂ）に示すように、座板１９を介して折り曲げられて、芯材３に固定される。座板１９は、断面が波状であり、波底１９ａで脚の先端を受けるようにするのが安定性を増す上で好ましい。
【００２１】
一方、雌部材２０は、雄係合部のＵ字部１４と係合するコの字状雌係合部２１と、この雌係合部を支持する基部２２からなる。
【００２２】
基部２２は雄係合部のガイド１３と類似の構造であるが、先端に雌係合部と接続するためのパイプ状接続部２３を有する。
【００２３】
この襟ホックは、従来技術と同様に、雄係合部１１を雌係合部２１に係合させたり外したりすることにより、襟の合わせ目を閉じたり開いたりして使用する。首を急に動かしたり、首周りが太くなったりしても、雄係合部１１がゴム紐１２により自然に伸びて首に圧迫感を与えることがない。
【００２４】
＜実施例２＞
実施例１では、弾性を有するのは雄部材１０だけである。普通はそれでも十分であるが、実施例２では雌部材にも弾性を与えている。
【００２５】
図３は、実施例２のホックであり、外側生地を取り去った状態で内側（着用者の首側）から見た雌雄部材の斜視図である。
【００２６】
雄部材１０Ａは実施例１と同じである。実施例１で使用した符号に「Ａ」を付けて使用し、説明を省略する。
【００２７】
雌部材２０Ａは、スライド可能な雌係合部２４と、雌係合部にスライドさせる力を与えるゴム紐２５と、雌係合部のスライド用ガイド２６からなる。
【００２８】
雌係合部２４は、先端に、雄係合部のＵ字先端と係合するコの字状雌係合部２１Ａが設けられている。後端には、ゴム紐を取り付けるための取付穴２７が設けられている。
【００２９】
ゴム紐２５は雌係合部の取付穴２７を通って折り返され、適当な位置で芯材３に縫いつけられて固定されている。
【００３０】
ガイド２６は、実施例１の雄係合部のガイド１３と同じ構造である。
【００３１】
この襟ホックは、従来技術と同様に、雄部材１０Ａを雌部材２０Ａに係合させたり外したりすることにより、襟の合わせ目を閉じたり開いたりして使用する。首を急に動かしたり、首周りが太くなったりしても、雄係合部及び雌係合部がゴム紐により自然に伸びて首に圧迫感を与えることがない。実施例１と比較すると、２箇所にゴム紐が取り付けられているので、伸張距離が２倍になったことになる。
【００３２】
図示しないが、さらに別の実施例として、雌雄部材を直線的に構成せずに、詰め襟の曲線に沿わせてカーブさせることもできる。
【００３３】
【発明の効果】
本発明によれば、首を急に動かしたり、首周りが太くなったりしても、ホックの雌雄部材が自動的に伸びるので、襟があわせられないというようなことはなくなった。また、従来技術と比較すると、構造が至極簡単なので製造コストを引き下げることができる。さらに状来技術と比較すると金属の箱体のようなものを使用しないので、全体的に薄く形成することができ、首に違和感を与えることが少ない。
【図面の簡単な説明】
【図１】実施例１に係る襟ホックを取り付けた状態の学生服の正面図である。
【図２】実施例１のホックであり、外側生地を取り去った状態で雌雄部材を見た斜視図である。（ａ）は内側（着用者の首側）から見た状態、（ｂ）は外側（着用者以外の人の側）から見た状態である。
【図３】実施例２のホックであり、外側生地を取り去った状態で内側（着用者の首側）から見た雌雄部材の斜視図である。
【符号の説明】
１              襟ホック
３              芯材
１０，１０Ａ            雄部材
１１          雄係合部
１２          ゴム紐
１３          ガイド
１４          Ｕ字部
１５          取付穴
１６          小突起
１７          接触板
１８          脚
１９          座板
１９ａ      波底
２０，２０Ａ            雌部材
２１          雌係合部
２１，２１Ａ            コ字状雌係合部
２２          基部
２３          パイプ状接続部
２４          雌係合部
２５          ゴム紐
２６          ガイド
２６          スライド用ガイド
２７          取付穴
【図１】
2004298319.tif 000003
【図２】
2004298319.tif 000004
【図３】
2004298319.tif 000005